(57)【要約】記録媒体は、静止画像とオーディオデータを別々のファイルに記憶するデータ領域と、静止画像とオーディオデータを共にスライドショーとして再生するためのナビゲーション情報を記憶するナビゲーション領域を含む。
2005538480.tif 000002
【特許請求の範囲】
【請求項１】
記録媒体に記録される少なくとも静止画像の再生を管理するためのデータ構造を有する記録媒体において、
第１のファイルに少なくとも一つの静止画像を記憶し、第２のファイルにオーディオデータを記憶するデータ領域；及び
前記第１のファイルと前記第２のファイルとを関連付ける再生リストを少なくとも一つ記憶する再生リスト領域を備えることを特徴とする記録媒体。
【請求項２】
前記再生リストは、前記第１のファイルと前記第２のファイルに関するプレゼンテーション情報を提供するナビゲーション情報を含むことを特徴とする請求項１記載の記録媒体。
【請求項３】
前記再生リストは、前記第１のファイルの前記静止画像に関するプレゼンテーション情報を提供する第１のナビゲーション情報と、前記第２のファイルのオーディオデータに関するプレゼンテーション情報を提供する第２のナビゲーション情報を含むことを特徴とする請求項２記載の記録媒体。
【請求項４】
再生アイテムフィールドとサブ再生アイテムフィールドのうち一つは、前記第１のナビゲーション情報を提供することを特徴とする請求項３記載の記録媒体。
【請求項５】
前記再生アイテムフィールドと前記サブ再生アイテムフィールドのうち前記一つは、前記再生アイテムフィールドと前記サブ再生アイテムフィールドのうち一つが静止画像のプレゼンテーションのための情報を提供することを示すインジケータを含むことを特徴とする請求項４記載の記録媒体。
【請求項６】
前記再生アイテムフィールドと前記サブ再生アイテムフィールドのうち一つは、前記静止画像を表示する継続時間を示すインジケータを含むことを特徴とする請求項４記載の記録媒体。
【請求項７】
前記再生アイテムフィールドと前記サブ再生アイテムフィールドのうち前記一つは、前記静止画像を無限の継続時間の間表示するかどうかを示すインジケータを含むことを特徴とする請求項４記載の記録媒体。
【請求項８】
前記インジケータは、前記静止画像から変更するためのユーザー入力を受け取るまで前記静止画像を無限の継続時間の間表示することを示すことを特徴とする請求項７記載の記録媒体。
【請求項９】
前記再生アイテムフィールドとサブ再生アイテムフィールドのうち前記一つは、前記静止画像を含むデータのクリップを識別する識別子を含むことを特徴とする請求項４記載の記録媒体。
【請求項１０】
再生アイテムフィールドとサブ再生アイテムフィールドのうち一つは、前記第２のナビゲーション情報を提供することを特徴とする請求項４記載の記録媒体。
【請求項１１】
前記第１のナビゲーション情報を提供する再生アイテムフィールドとサブ再生アイテムフィールドのうちの前記一つは、前記第２のナビゲーション情報を提供する再生アイテムフィールドとサブ再生アイテムフィールドのうちの前記一つとは異なることを特徴とする請求項１０記載の記録媒体。
【請求項１２】
前記再生リストは、マーク情報を更に含み、前記マーク情報は、前記静止ピクチャを指すマークを含むことを特徴とする請求項１１記載の記録媒体。
【請求項１３】
前記再生リストは、マーク情報を更に含み、前記マーク情報は、前記静止ピクチャを指すマークを含むことを特徴とする請求項３記載の記録媒体。
【請求項１４】
記録媒体に記録される少なくとも静止画像の再生を管理するためのデータ構造を有する記録媒体において、
少なくとも一つの静止画像とオーディオデータを別個のファイルに記憶するデータ領域；及び
再生リストを含む再生リスト領域を備え、前記再生リストは、前記静止画像に関するナビゲーション情報を提供する再生アイテムとサブ再生アイテムのうちの第１の一つを含み、前記再生リストは、前記オーディオデータに関するナビゲーション情報を提供する再生アイテムとサブ再生アイテムのうちの第２の一つを含むことを特徴とする記録媒体。
【請求項１５】
記録媒体に記録される少なくとも静止画像の再生を管理するためのデータ構造を再生する方法において、
前記記録媒体から少なくとも一つの再生リストを再生し、前記再生リストは、少なくとも一つの静止画像を含む第１のファイルとオーディオデータを含む第２のファイルとを関連付けることを特徴とする方法。
【請求項１６】
記録媒体に記録される少なくとも静止画像の再生を管理するためのデータ構造を再生する装置において、
光再生装置を駆動し、前記記録媒体に記録されるデータを再生するドライブ；
前記ドライブを制御し、前記記録媒体から少なくとも一つの再生リストを再生する制御器を備え、前記再生リストは、少なくとも一つの静止画像を含む第１のファイルとオーディオデータを含む第２のファイルとを関連付けることを特徴とする装置。
【請求項１７】
記録媒体に記録される少なくとも静止画像の再生を管理するためのデータ構造を記録する方法において、
少なくとも一つの静止画像を含む第１のファイルとオーディオデータを含む第２のファイルを前記記録媒体に記録し；及び
第１のファイルと第２のファイルとを関連付ける少なくとも一つの再生リストを前記記録媒体に記録することを特徴とする方法。
【請求項１８】
記録媒体の少なくとも多重再生パスビデオデータの再生を管理するためのデータ構造を記録する装置において、
光記録装置を駆動し、前記記録媒体にデータを記録するドライブと；
少なくとも多重再生パスビデオデータを符号化するエンコーダ；及び
前記ドライブを制御し、少なくとも一つの静止画像を含む第１のファイルとオーディオデータを含む第２のファイルを前記記録媒体に記録し、前記ドライブを制御し、第１のファイルと第２のファイルとを関連付ける少なくとも一つの再生リストを前記記録媒体に記録するコントローラを備えることを特徴とする装置。
【発明の詳細な説明】
【技術分野】
【０００１】
本発明は、記録媒体に記録される少なくとも静止画像（Ｓｔｉｌｌ  Ｉｍａｇｅｓ）の再生を管理するためのデータ構造を有する記録媒体、再生及び記録方法又は装置に関する。
【背景技術】
【０００２】
大量の高品質のビデオデータとオーディオデータを記録可能な新しい高密度の読み取り専用の光ディスク及び書き換え可能な光ディスクの標準化が急速に進行しており、新しい光ディスクと関連する製品が近いうちに商用化されることが予想される。このような新しい光ディスクの例としては、書き換え可能ブルーレイディスク（ＢＤ−ＲＥ：Ｂｌｕｅ−ｒａｙ  Ｄｉｓｃ  Ｒｅｗｒｉｔａｂｌｅ）とブルーレイディスクＲＯＭ（ＢＤ−ＲＯＭ）がある。
【発明の開示】
【発明が解決しようとする課題】
【０００３】
ブルーレイＲＯＭ（ＢＤ−ＲＯＭ）等の高密度の読み取り専用光ディスクの標準化は今もなお進行中である。高密度の読み取り専用光ディスクに記録される静止画像の再生を管理するための有効なデータ構造は、いまだ利用可能ではない。
【０００４】
本発明による記録媒体は、記録媒体に記録される少なくとも静止画像の再生を管理するためのデータ構造を含む。
【課題を解決するための手段】
【０００５】
一実施形態では、記録媒体のデータ領域は、第１のファイルに少なくとも一つの静止画像を記憶し、第２のファイルにオーディオデータを記憶する。記録媒体の再生リスト領域は、少なくとも一つの再生リストを記憶し、再生リストは、第１のファイルと第２のファイルとを関連付ける。例えば、再生リストは、第１のファイルと第２のファイルに関するプレゼンテーション情報を提供するナビゲーション情報を含む。
【０００６】
一実施形態では、再生リストは、静止画像ファイルに関するナビゲーション情報を提供する再生アイテムフィールドとサブ再生アイテムフィールドのうちの一つを含む。さらに、実施形態では、再生アイテムフィールドとサブ再生アイテムフィールドのうちの他の一つは、オーディオデータに関するナビゲーション情報を提供する。他の実施形態では、再生リストは、マーク情報を含み、マーク情報は、オーディオデータでのポイントと関連付けられ、静止画像を指すマークを含む。
【０００７】
本発明は、本発明によるデータ構造を記録し再生し、本発明によるスライドショーを記録し再生する装置と方法を提供する。
【発明を実施するための最良の形態】
【０００８】
本発明を十分に理解するために、一実施形態を添付図面を参照して説明する。
【０００９】
本発明によるブルーレイＲＯＭ（ＢＤ−ＲＯＭ）、ＢＤ−ＲＥ等の高密度光ディスクは、図１に示すように、ビデオデータとオーディオデータの再生を管理するファイル又はデータ構造を有する。図１に示す本発明によるデータ構造の幾つかの態様は、公知のＢＤ−ＲＥ標準と同様であるので、これらの態様については詳細には説明しない。
【００１０】
図１に示すように、ルートディレクトリは、ＢＤディレクトリを少なくとも一つ含む。ＢＤディレクトリは、一般的ファイル（図示せず）、再生リストファイル（例えば、*．ｍｐｌｓ）を記憶するＰＬＡＹＬＩＳＴディレクトリ、クリップ情報ファイル（*．ｃｌｐｉ）を記憶するＣＬＩＰＩＮＦディレクトリ、及び、クリップ情報ファイルに対応するＭＰＥＧ−２形式のＡ／Ｖストリームクリップファイル（*．ｍ２ｔｓ）を記憶するＳＴＲＥＡＭディレクトリを含む。
【００１１】
ＳＴＲＥＡＭディレクトリは、クリップ又はクリップファイルと呼ばれるＭＰＥＧ−２形式のＡ／Ｖストリームファイルを含む。Ａ／Ｖストリームは、ビデオデータとオーディオデータのソースパケットを含む。例えば、ビデオデータのソースパケットは、ヘッダとトランスポートパケットを含む。ソースパケットは、ソースパケット番号を含み、ソースパケット番号は、ソースパケットにアクセスするためのアドレスとしての役割を果たす、一般的にシーケンシャルに割り当てられる番号である。トランスポートパケットは、パケット識別子（ＰＩＤ）を含む。ＰＩＤは、トランスポートパケットが属するトランスポートパケットのシーケンスを識別する。シーケンス内の各トランスポートパケットは、同じＰＩＤを有する。
【００１２】
ＣＬＩＰＩＮＦディレクトリは、各Ａ／Ｖストリームファイルに関連するクリップ情報ファイルを含む。クリップ情報ファイルは、特に、関連するＡ／Ｖストリームの種別、シーケンス情報、プログラム情報、及びタイミング情報を含む。シーケンス情報は、到着時間基準（ＡＴＣ）とシステム時間基準（ＳＴＣ）のシーケンスを記述する。例えば、シーケンス情報は、特に、シーケンスの数、各シーケンスの開始と終了時間情報、各シーケンスにおける１番目のソースパケットのアドレス、及び各シーケンスにおけるトランスポートパケットのＰＩＤを示す。プログラムのコンテンツが一定なソースパケットのシーケンスは、プログラムシーケンスと呼ばれる。プログラム情報は、特に、プログラムシーケンスの数、各プログラムシーケンスの開始アドレス、及びプログラムシーケンスにおけるトランスポートパケットのＰＩＤ（ｓ）を示す。
【００１３】
タイミング情報は、特徴ポイント情報（ＣＰＩ：Ｃｈａｒａｃｔｅｒｉｓｔｉｃ  Ｐｏｉｎｔ  Ｉｎｆｏｒｍａｔｉｏｎ）と呼ばれる。ＣＰＩの一つの形式は、エントリーポイント（ＥＰ）マップである。ＥＰマップは、（例えば到着時間基準（ＡＴＣ）及び／又はシステム時間基準（ＳＴＣ）等の）プレゼンテーションタイムスタンプを（ソースパケット番号等の）ソースパケットアドレスにマッピングする。プレゼンテーションタイムスタンプ（ＰＴＳ）とソースパケット番号（ＳＰＮ）は、Ａ／Ｖストリームにあるエントリーポイントと関連する。すなわち、ＰＴＳとＰＴＳに関連するＳＰＮは、Ａ／Ｖストリームのエントリーポイント（ＥＰ）を指す。指されるパケットは、エントリーポイントパケットと呼ばれる場合が多い。
【００１４】
ＰＬＡＹＬＩＳＴディレクトリは、一つ又は複数の再生リストファイルを含む。再生リストのコンセプトは、再生用クリップを容易に編集し又は組み合わせることを促進するために導入された。再生リストファイルは、クリップ内の再生区間（ｐｌａｙｉｎｇ  ｉｎｔｅｒｖａｌｓ）のコレクションである。各再生区間は、再生アイテム（ｐｌａｙｉｔｅｍ）と呼ばれる。再生リストファイルは、特に、再生リストを形成する各再生アイテムを識別する。各再生アイテムは、特に、（例えばＡＴＣ又はＳＴＣ基準のプレゼンテーションタイムスタンプ等の）クリップの時間軸上の位置を指す一対のＩＮ−ｐｏｉｎｔとＯＵＴ−ｐｏｉｎｔである。言い換えると、再生リストファイルは、再生アイテムを識別し、各再生アイテムは、クリップ又はクリップの一部を指して、クリップと関連するクリップ情報ファイルを識別する。クリップ情報ファイルは、特に、再生アイテムをソースパケットのクリップにマッピングするのに使われる。
【００１５】
全般的情報ファイル（図示せず）は、光ディスクに記録されるＡ／Ｖストリームの再生を管理するための全般的情報を備える。
【００１６】
図１は、本発明の実施形態による記録媒体のデータ構造を示す他に、記録媒体の領域を表す。例えば、全般的情報ファイルは、一つ又は複数の全般的情報領域に記録され、再生リストディレクトリは、一つ又は複数の再生リストディレクトリ領域に記録され、再生リストディレクトリ内の各再生リストは、記録媒体の一つ又は複数の再生リスト領域に記録される。図２は、図１のデータ構造を有する記録媒体の一例を示す。記録媒体は、ファイルシステム情報領域、データベース領域、及びＡ／Ｖストリーム領域を含む。データベース領域は、全般的情報ファイルと再生リスト情報領域、及びクリップ情報領域を含む。全般的情報ファイルと再生リスト情報領域は、全般的情報ファイル領域に記録される全般的情報ファイルと、再生リスト情報領域に記録されるＰＬＡＹＬＩＳＴディレクトリと再生リストファイルを有する。クリップ情報領域には、ＣＬＩＰＩＮＦＯディレクトリと、関連するクリップ情報ファイルが記録される。Ａ／Ｖストリーム領域には、多様なタイトルのＡ／Ｖストリームが記録される。
【００１７】
ビデオデータとオーディオデータは、一般的に、個別のタイトルで編成される。例えば、ビデオデータとオーディオデータにより表現される異なる映画は、異なるタイトルとして編成される。また、タイトルは、本がチャプターで整理されるように、個々のチャプターで整理される。
【００１８】
ＢＤ−ＲＯＭ、ＢＤ−ＲＥ光ディスク等の新しい高密度記録媒体の記憶容量が大きいため、様々なタイトル、様々なバージョンのタイトル又はタイトルの一部を記録媒体に記憶し、そこから再生することができる。例えば、様々なカメラアングルを表すビデオデータを記録媒体に記録することができる。他の例としては、様々な言語と関連するタイトルのバージョン又はタイトルの一部を記録媒体に記録することができる。
【００１９】
また他の例としては、ディレクターバージョン及び劇場バージョンのタイトルを記録媒体に記録することができる。また他の例として、アダルトバージョン、ヤングアダルトバージョン及びヤングチャイルドバージョン（すなわち、親が規制できる異なるバージョン）のタイトル又はタイトルの一部を記録媒体に記録することができる。各バージョン、各カメラアングル等は、様々な再生パスを表し、このような場合のビデオデータは、多重再生パスビデオデータ（ｍｕｌｔｉｐｌｅ  ｒｅｐｒｏｄｕｃｔｉｏｎ  ｐａｔｈ  ｖｉｄｅｏ  ｄａｔａ）と呼ばれる。
【００２０】
ＢＤ−ＲＯＭ等の新しい高密度記録媒体の記憶容量は大きいため、静止画像を、スライドショー等の編成された（ｏｒｇａｎｉｚｅｄ）方式及び／又はユーザーインタラクティブ方式で記録し再生することができる。本発明の実施形態による高密度光ディスクのための静止画像の再生を管理するためのデータ構造を、静止画像を記録及び再生する本発明の実施形態にしたがう方法及び装置と共に説明する。
【００２１】
図３は、本発明の一実施形態にしたがった、高密度光ディスクのための静止画像を管理する方法を示す。この実施形態では、複数の静止画像をＢＤ−ＲＯＭに静止画像ファイルとして記録し、静止画像ファイルに記憶される複数の静止画像は、静止画像の再生を制御するためのナビゲーション情報を含む、再生リストの固有のナビゲーション情報に関連付けられる。静止画像に関連付けられる固有のナビゲーション情報は、ムービービデオとオーディオデータを記憶するクリップＡ／Ｖストリームに含まれる特定のムービービデオデータに関連付けられる。
【００２２】
図３に示すように、複数の静止画像を、一つの記録位置に関連付けることができる。複数の静止画像を様々な方法で表示することができる、例えば、シーケンシャルスライドショー、ランダム／シャッフルスライドショー、又は自動／手動スライドショーで表示することができる。様々な表示オプションを以後詳細に説明する。
【００２３】
図４は、本発明の他の実施形態による、高密度光ディスクのための静止画像を管理する方法を示す。この実施形態は、クリップＡ／Ｖストリームがオーディオデータを含む点を除いては図３の実施形態と同じである。この例では、オーディオデータを再生している間、光ディスク再生装置は、オーディオデータの特定の記録位置に関連付けられる静止画像を検出し、検出された静止画像をオーディオデータと共に出力する静止動作を実行する。
【００２４】
本発明の実施形態によって、ムービーデータ（例えば、ビデオ又はビデオとオーディオ）と静止画像、又はオーディオデータと静止画像を、以後に詳細に説明する光ディスク再生装置に接続されるテレビ等を介してユーザーに提供することができる。静止画像をムービーデータ又はオーディオデータに関連付けるためのナビゲーション情報を管理する方法について詳細に説明する。
【００２５】
図５Ａは、本発明の実施形態によって、静止画像を管理する方法の一例を示す。この実施形態では、一つ又は複数の再生リストマークが静止画像を管理するために規定される。図５Ａに示したように、一つの静止画像又は静止画像のグループは、静止マークと呼ばれる再生リストマークにより再生リストに関連付けられる。この方式で、静止画像を、以後に詳細に説明するように、スライドショーとして管理することができる。再生リストマークは、図６と７を参照して、以下により一層詳細に説明する。
【００２６】
図６は、関連付けられる再生リストマークにより提供される静止画像に関するナビゲーション情報の一実施形態を示す。再生リストファイルは、「ＰｌａｙＬｉｓｔＭａｒｋ」と呼ばれる再生リストマーク情報フィールドを含む。図６に示すように、再生リストマーク「ＰｌａｙＬｉｓｔｓＭａｒｋ」情報フィールドは、情報フィールドの長さと、再生リストにある再生リストマークの個数「ｎｕｍｂｅｒ_ｏｆ_ＰｌａｙＬｉｓｔ_ｍａｒｋｓ）を示す。ＢＤ−ＲＥの場合、「長さ」フィールドは、「２６バイト」の値を有する。本発明によるＢＤ−ＲＯＭの場合、長さフィールドは、２６バイトより大きい値を有する。各再生リストマークに対して、再生リストマーク「ＰｌａｙＬｉｓｔｓＭａｒｋ」情報フィールドは、マーク種別（ｍａｒｋ_ｔｙｐｅ）、タイムスタンプ（ｍａｒｋ_ｔｉｍｅ_ｓｔａｍｐ）、継続時間（ｄｕｒａｔｉｏｎ）、メーカー情報（ｍａｋｅｒｓ_Ｉｎｆｏｒｍａｔｉｏｎ）、及びメーカーネーム（ｍａｋｅｒ_Ｎａｍｅ）を示す。
【００２７】
マーク種別は、マークの種類を示す。例えば、マークがチャプターの開始を示す場合、マーク種別（ｍａｒｋ＿ｔｙｐｅ）は、関連付けられるマークをチャプターマークとして識別する。図６に示したように、マークが静止種別のものである場合、ＢＤ−ＲＯＭに記録される、関連付けられる静止画像又は静止画像（群）のインデックス番号（ｒｅｆ_ｔｏ_ｓｔｉｌｌ_ｉｍａｇｅ_ｉｎｄｅｘ）が提供される。
【００２８】
マークのタイムスタンプ（ｍａｒｋ_ｔｉｍｅ_ｓｔａｍｐ）は、マークが位置づけられるポイント、すなわち、マークが位置づけられる、クリップのＡ／Ｖストリームの時間軸（例えば、ＡＴＣ及び／又はＳＴＣ基準）におけるポイントを示す。（ｄｕｒａｔｉｏｎ）は、（ｍａｒｋ_ｔｉｍｅ_ｓｔａｍｐ）が示すタイムスタンプから開始するマークの長さを示す。マークが静止マークである場合、継続時間（ｄｕｒａｔｉｏｎ）は、静止画像を表示する時間長を示す。
【００２９】
メーカー情報（ｍａｋｅｒｓ_Ｉｎｆｏｒｍａｔｉｏｎ）は、メーカーにより提供される情報を備え、メーカーネーム（ｍａｋｅｒ_Ｎａｍｅ）は、メーカーの名前を与える。
【００３０】
図６の説明で示したように、マークが静止マークである場合、静止マークと関連付けられる情報は、静止マークと関連付けられる静止画像を再生するためのナビゲーション情報を提供する。
【００３１】
図７Ａは、関連付けられる再生リストマークにより提供される静止画像に関するナビゲーション情報の別の実施形態を示す。この実施形態は、マークが静止マーク（例えば、ｍａｒｋ  ｔｙｐｅ＝０ｘ１０）の場合、静止画像又は静止画像（郡）の再生に関する追加的な情報が静止マークと関連して提供される点を除いては、図６の実施形態と同じである。特に、次のインジケータフィールドを提供する。静止マークと関連付けられる静止画像の数のインジケータ（ｎｕｍｂｅｒ_ｏｆ_ｓｔｉｌｌ_ｉｍａｇｅｓ）、表示タイミングングのインジケータ（ｄｉｓｐｌａｙ_ｔｉｍｉｎｇ_ｍｏｄｅ）、表示順序のインジケータ（ｄｉｓｐｌａｙ_ｏｒｄｅｒ_ｍｏｄｅ）、表示効果のインジケータ（ｄｉｓｐｌａｙ_ｅｆｆｅｃｔ_ｍｏｄｅ）、表示効果の期間のインジケータ（ｄｉｓｐｌａｙ_ｅｆｆｅｃｔ_ｐｅｒｉｏｄ）などのインジケータフィールドが提供される。
【００３２】
（ｄｉｓｐｌａｙ_ｔｉｍｉｎｇ_ｍｏｄｅ）フィールドが（０）の場合、それは自動スライドショーを示す。（ｄｉｓｐｌａｙ_ｔｉｍｉｎｇ_ｍｏｄｅ）フィールドが（１）の場合、それは、ユーザーのキー入力に基づいて静止画像を表示するブラウザブル静止動作又はスライドショー動作を示す。（ｄｉｓｐｌａｙ_ｏｒｄｅｒ_ｍｏｄｅ）フィールドが（０）の場合、それは、静止画像をシーケンシャルに表示すべきシーケンシャル静止動作を示す。（ｄｉｓｐｌａｙ_ｏｒｄｅｒ_ｍｏｄｅ）フィールドが（１）の場合、それは、静止画像をランダムに表示すべきランダム静止動作を示す。
【００３３】
（ｄｉｓｐｌａｙ_ｅｆｆｅｃｔ_ｍｏｄｅ）は、カット−イン／カット−アウト又はフェード−イン／フェード−アウト等の、静止画像に適用される効果を示す。（ｄｉｓｐｌａｙ_ｅｆｆｅｃｔ_ｐｅｒｉｏｄ）フィールドは、該当表示効果が有効な継続時間を示す。（ｄｉｓｐｌａｙ_ｔｉｍｉｎｇ_ｍｏｄｅ）、（ｄｉｓｐｌａｙ_ｏｒｄｅｒ_ｍｏｄｅ）、（ｄｉｓｐｌａｙ_ｅｆｆｅｃｔ_ｍｏｄｅ）、及び（ｄｉｓｐｌａｙ_ｅｆｆｅｃｔ_ｐｅｒｉｏｄ）のフィールドを各静止画像毎に規定し管理することができる。
【００３４】
複数の静止画像が関連付けられる場合、静止画像のインデックス番号を示す（ｒｅｆ_ｔｏ_ｓｔｉｌｌ_ｉｎｄｅｘ）フィールドは、最終静止画像のインデックス番号又は関連付けられる静止画像の数として規定される。一つの静止画像だけが関連付けられる場合、（ｒｅｆ_ｔｏ_ｓｔｉｌｌ__ｉｎｄｅｘ）を（０ｘＦＦＦＦ）に規定することができる。
【００３５】
さらに、図７Ａの実施形態は、（ｒｅｆ_ｔｏ_ｓｔｉｌｌ_ｉｎｄｅｘ）フィールドを含まないこともある。
【００３６】
図５Ｂは、再生リストマークをムービーマークとして規定することができるという点を除いては、図５Ａと同じ本発明の実施形態による、静止画像を管理する方法を示す。ムービーマークは、ビデオプレゼンテーションユニット（ＶＰＵｓ）の管理のために使われる。ビデオデータとオーディオデータが共に記録され又はビデオデータだけが記録されるＡ／Ｖストリームのクリップの所定の記録ブロックがビデオプレゼンテーションユニット（ＶＰＵ）として割り当てられる。ＶＰＵは、別々のファイルとして記録され管理される。スライドショーの表示が望まれる特定の位置、例えばモーションビデオを表示する中間で、ＶＰＵの静止画像又はビデオを表示するために、ナビゲーション情報を記録し管理することができる。
【００３７】
図７Ｂは、関連付けられる再生リストマークにより提供される静止画像とＶＰＵｓに関するナビゲーション情報の実施形態を示す。この実施形態は、マークがムービーマーク（例えば、ｍａｒｋ  ｔｙｐｅ＝０ｘ１１）の場合、ＶＰＵ再生に関する追加的な情報がムービーマークと関連して提供される点を除いては、図７Ａの実施形態と同じである。特に、次のインジケータフィールドを提供する。ＶＰＵのクリップファイル名を提供する（ＶＰＵ_Ｃｌｉｐ_Ｆｉｌｅ_Ｎａｍｅ）、ＶＰＵの特定の記録ブロックを選択して再生するための（ＶＰＵ_ｓｔａｒｔ_ＴＭ）情報と（ＶＰＵ_ｅｎｄ_ＴＭ）情報、ＶＰＵのデータ記録サイズを示すための（ＶＰＵ_ｄａｔａ_ｓｉｚｅ）情報、及びＶＰＵに記録されるビデオデータの属性に関する情報を提供するための（ＶＰＵ_ｉｎｆｏ）のインジケータフィールドが提供される。
【００３８】
図７Ｃは、再生リストマーク情報フィールドの別の実施形態を示す。この実施形態は、静止画像に関するナビゲーション情報が含まれない点を除いては、図７Ｂの実施形態と同じである。
【００３９】
図８Ａは、本発明による、静止画像を管理する方法の別の実施形態を示す。この実施形態では、一つの静止画像又は静止画像のグループの表示時間と表示方法等のナビゲーション情報が一つ又は複数の静止インジケータにより提供される。静止インジケータは、一つの静止画像又は静止画像のグループをクリップＡ／Ｖストリームに関連付ける。クリップＡ／Ｖストリームは、ムービービデオとオーディオデータを共に含み又はオーディオデータだけを含むことができる。静止画像を、一つのイメージファイルに記憶し又は各静止画像を個別のイメージファイルに記憶することができる。
【００４０】
図９Ａに示すように、静止インジケータ（ＰｌａｙＬｉｓｔＳｔｉｌｌＩｎｄｉｃａｔｏｒ）は、再生リストファイル（ＰｌａｙＬｉｓｔ_Ｆｉｌｅ）に追加される新しい情報フィールドである。この新しい情報フィールドは、情報フィールドの長さと再生リスト静止の数（ｎｕｍｂｅｒ_ｏｆ_ＰｌａｙＬｉｓｔ_ｓｔｉｌｌｓ）を示す。各再生リスト静止に対して、再生リストインジケータ（ＰｌａｙＬｉｓｔＳｔｉｌｌＩｎｄｉｃａｔｏｒ）情報フィールドは、タイムスタンプ（ｓｔｉｌｌ_ｔｉｍｅ_ｓｔａｍｐ）、ＢＤ−ＲＯＭに記録される、関連する静止画像（群）の開始インデックス番号（ｒｅｆ_ｔｏ_ｓｔｉｌｌ_ｓｔａｒｔ_ｉｎｄｅｘ）、及び静止画像の数（ｎｕｍｂｅｒ_ｏｆ_ｓｔｉｌｌ_ｉｍａｇｅｓ）を示す。
【００４１】
再生リスト静止のタイムスタンプ（ｓｔｉｌｌ_ｔｉｍｅ_ｓｔａｍｐ）は、再生リスト静止が位置づけられるポイント、すなわち再生リスト静止が位置づけられるクリップのＡ／Ｖストリームの時間軸（例えば、ＡＴＣ及び／又はＳＴＣ基準）でのポイントを示す。
【００４２】
また、図９Ａに示すように、再生リスト静止に関連付けられる各静止画像に対して、次のような情報が提供される。静止画像を表示する継続時間（ｄｕｒａｔｉｏｎ）、表示タイミングのインジケータ（ｄｉｓｐｌａｙ_ｔｉｍｉｎｇ_ｍｏｄｅ）、表示順序のインジケータ（ｄｉｓｐｌａｙ_ｏｒｄｅｒ_ｍｏｄｅ）、表示効果のインジケータ（ｄｉｓｐｌａｙ_ｅｆｆｅｃｔ_ｍｏｄｅ）、表示効果の期間（ｄｉｓｐｌａｙ_ｅｆｆｅｃｔ_ｐｅｒｉｏｄ）の情報が提供される。これらのインジケータは、図７Ａを参照して上述した。
【００４３】
図８Ｂは、本発明による、静止画像とＶＰＵｓを管理する方法の別の実施形態を示す。この実施形態では、一つの静止画像又は静止画像のグループ及び／又はＶＰＵｓの表示時間と表示方法等のナビゲーション情報が一つ又は複数のスライドショーインジケータにより提供される。スライドショーインジケータは、一つの静止画像又は静止画像のグループをクリップＡ／Ｖストリームに関連付け、又は、ＶＰＵをクリップＡ／Ｖストリームに関連付ける。クリップＡ／Ｖストリームは、ムービービデオとオーディオデータを共に含み又はオーディオデータだけを含むことができる。静止画像を一つのイメージファイルで記憶し又は各静止画像を個別のイメージファイルに記憶することができる。
【００４４】
図９Ｂに示すように、スライドショーインジケータ（ＰｌａｙＬｉｓｔＳｌｉｄｅｓｈｏｗＩｎｄｉｃａｔｏｒ）は、再生リストファイル（ＰｌａｙＬｉｓｔ_Ｆｉｌｅ）に追加される新しい情報フィールドである。この新しい情報フィールドは、情報フィールドの長さとスライドショーオブジェクトの数（ｎｕｍｂｅｒ_ｏｆ_Ｓｌｉｄｅｓｈｏｗ_ｏｂｊｅｃｔｓ）を示す。各スライドショーオブジェクトに対して、スライドショーインジケータは、タイムスタンプ（ｓｔｉｌｌ_ｔｉｍｅ_ｓｔａｍｐ）を示す。タイムスタンプ（ｓｔｉｌｌ_ｔｉｍｅ_ｓｔａｍｐ）は、スライドショーオブジェクトが位置づけられるポイント、すなわちスライドショーオブジェクトが位置づけられるクリップのＡ／Ｖストリームの時間軸（例えば、ＡＴＣ及び／又はＳＴＣ基準）でのポイントを示す。
【００４５】
スライドショーオブジェクトが静止画像の場合、ＢＤ−ＲＯＭに記録される関連する静止画像（群）の開始インデックス番号（ｒｅｆ_ｔｏ_ｓｔｉｌｌ_ｓｔａｒｔ_ｉｎｄｅｘ）と静止画像の数（ｎｕｍｂｅｒ_ｏｆ_ｓｔｉｌｌ_ｉｍａｇｅｓ）が提供される。また、図９Ｂに示すように、再生リスト静止に関連付けられる各静止画像に対して、次の情報が提供される。静止画像を表示する継続時間（ｄｕｒａｔｉｏｎ）、表示タイミングのインジケータ（ｄｉｓｐｌａｙ_ｔｉｍｉｎｇ_ｍｏｄｅ）、表示順序のインジケータ（ｄｉｓｐｌａｙ_ｏｒｄｅｒ_ｍｏｄｅ）、表示効果のインジケータ（ｄｉｓｐｌａｙ_ｅｆｆｅｃｔ_ｍｏｄｅ）、表示効果の期間のインジケータ（ｄｉｓｐｌａｙ_ｅｆｆｅｃｔ_ｐｅｒｉｏｄ）の情報が提供される。これらのインジケータは図７Ａを参照して上述した。
【００４６】
スライドショーオブジェクトがＶＰＵの場合、ＶＰＵのクリップファイルを識別するための情報（ＶＰＵ_Ｃｌｉｐ_Ｆｉｌｅ_Ｎａｍｅ）、ＶＰＵの特定記録ブロックを選択して再生するための情報（ＶＰＵ_ｓｔａｒｔ_ＴＭ）と（ＶＰＵ_ｅｎｄ_ＴＭ）、ＶＰＵのデータ記録サイズの情報（ＶＰＵ_ｄａｔａ_ｓｉｚｅ）、及びＶＰＵに記録されるビデオデータの属性に関する情報（ＶＰＵ_ｉｎｆｏ）が含まれて記録される。
【００４７】
図１０は、本発明による、静止画像を管理する方法の別の実施形態を示す。この実施形態では、再生アイテムは一つ又は複数の静止画像を管理するために使われる。例えば、ある再生アイテムは、ムービービデオとオーディオデータを管理し又はオーディオデータのみを管理し、ある再生アイテムは、一つの静止画像、静止画像のグループ、又はスライドショー（又はスライドショーの一部）を管理し、そして、静止再生アイテムとして扱われる。
【００４８】
再生リストに対応するクリップＡ／Ｖストリームは、ムービービデオとオーディオデータとを共に含み又はオーディオデータだけを含むことができる。静止画像を、一つのイメージファイルに記憶し又は、各静止画像を個別のイメージファイルに記憶することができる。再生リストの再生アイテムは、静止画像とクリップＡ／Ｖストリームとを関連付けるナビゲーション情報を提供する。静止画像と、例えばオーディオデータは、別個のファイルに記録され、別個のファイルによって管理される。この方式では、静止画像とオーディオデータは独立しているが、一緒に再生することができる。これにより、例えば、静止画像を表示する間、スライドショーを形成する静止画像に関連付けられるオーディオデータのクリップを継続してループ（又は繰り返して）させることができる。
【００４９】
図１１Ａは、本発明による、再生アイテム情報フィールドの実施形態を示す。再生アイテム（ＰｌａｙＩｔｅｍ）情報フィールドは、情報フィールドの長さと、再生アイテムに関連付けられるクリップ情報ファイルの名前（Ｃｌｉｐ_Ｉｎｆｏｒｍａｔｉｏｎ_Ｆｉｌｅ_Ｎａｍｅ）を示す。
【００５０】
再生アイテム情報フィールドは、再生アイテムが静止再生アイテムであるかどうか、再生アイテムが一つ又は複数の静止画像に関連付けられるかどうかを示すインジケータ（Ｃｌｉｐ_ｃｏｄｅｃ_ｉｄｅｎｔｉｆｉｅｒ）もまた含む。例えば、（Ｃｌｉｐ_ｃｏｄｅｃ_ｉｄｅｎｔｉｆｉｅｒ）フィールドは、（ＪＰＥＧ）等の静止画像の符号化フォーマットを示すことができ、これは、再生アイテムが静止画像表示のための静止再生アイテムであることを示す役割をする。
【００５１】
再生アイテムに関連付けられるクリップ情報ファイルに与えられるＣＰＩ種別が（ＣＰＩｔｙｐｅ＝１）により表されるＥＰマップ種別である場合、再生アイテムは、クリップ情報ファイル名（Ｃｌｉｐ_Ｉｎｆｏｒｍａｔｉｏｎ_Ｆｉｌｅ_Ｎａｍｅ）により示されるクリップ上のＳＴＣレファレンス（ｒｅｆ_ｔｏ_ＳＴＣ_ｉｄ）を含む。
【００５２】
再生アイテムは、ＩＮ_ｔｉｍｅフィールドとＯＵＴ_ｔｉｍｅフィールドを含む。（ＩＮ_ｔｉｍｅ）フィールドは、２バイトを占めて、静止画像ファイルに記憶される、関連付けられる静止画像の中の１番目の静止画像のインデックス番号を示し、（ＯＵＴ_ｔｉｍｅ）フィールドは、関連付けられる静止画像の中の最後の静止画像のインデックス番号を示す。
【００５３】
また、図１１Ａに示すように、再生アイテムが静止再生アイテムである場合、静止画像の数（ｎｕｍｂｅｒ_ｏｆ_ｓｔｉｌｌ_ｉｍａｇｅｓ）が提供される。そして、各静止画像に対して、次のような情報が提供される。静止画像を表示する継続時間（ｄｕｒａｔｉｏｎ）、表示タイミングのインジケータ（ｄｉｓｐｌａｙ_ｔｉｍｉｎｇ_ｍｏｄｅ）、表示順序のインジケータ（ｄｉｓｐｌａｙ_ｏｒｄｅｒ_ｍｏｄｅ）、表示効果のインジケータ（ｄｉｓｐｌａｙ_ｅｆｆｅｃｔ_ｍｏｄｅ）、表示効果の期間のインジケータ（ｄｉｓｐｌａｙ_ｅｆｆｅｃｔ_ｐｅｒｉｏｄ）の情報が提供される。これらのインジケータは、図７Ａを参照して上述した。
【００５４】
図１０に示さなかったが、再生アイテムは、ＶＰＵ再生アイテムとしての役割もすることができる。図１１Ｂは、ＶＰＵ再生アイテムの実施形態を示す。クリップコード識別子は、再生アイテムをＶＰＵ再生アイテムとして識別して、ムービーマークとＶＰＵスライドショーオブジェクトを参照して上述した同じＶＰＵ情報を提供する。
【００５５】
図１２Ａは、本発明による、静止画像を管理する方法の別の実施形態を示す。この実施形態では、サブ再生アイテムが一つ又は複数の静止画像を管理するために使われて、一方、ムービーデータ（例えば、オーディオデータとビデオデータ）又はオーディオデータのみが、再生アイテムを使用して管理される。サブ再生アイテムは、再生リストのサブパスを示す。
【００５６】
この方法では、静止画像ファイルに記憶される一つの静止画像又は静止画像のグループは、再生リストに含まれるサブ再生アイテムに関連付けられる。再生リストに対応するクリップＡ／Ｖストリームは、ムービービデオとオーディオデータを共に含み又はオーディオデータだけを含むことができる。静止画像を、一つのイメージファイルに記憶し又は各静止画像を個別のイメージファイルに記憶することができる。静止画像と、例えばオーディオデータは、別個のファイルに記録されて、別個のファイルによって管理される。この方式では、静止画像とオーディオデータを、独立しているが、一緒に再生することができる。これにより、静止画像を提示している間、例えば、スライドショーを形成する静止画像に関連付けられるオーディオデータのクリップを継続してループ（又は繰り返して）させることができる。
【００５７】
図１３Ａは、本発明による、サブ再生アイテム情報フィールドの実施形態を示す。サブ再生アイテム（ＳｕｂＰｌａｙＩｔｅｍ）情報フィールドは、情報フィールドの長さと、サブ再生アイテムに関連付けられるクリップ情報ファイルの名前（Ｃｌｉｐ_Ｉｎｆｏｒｍａｔｉｏｎ_Ｆｉｌｅ_Ｎａｍｅ）を示す。
【００５８】
サブ再生アイテム情報フィールドは、再生アイテムが静止再生アイテムであるかどうか、一つ又は複数の静止画像に関連付けられるかどうかを示す（Ｃｌｉｐ_ｃｏｄｅｃ_ｉｄｅｎｔｉｆｉｅｒ）インジケータと（ＳｕｂＰｌａｙＩｔｅｍ_ｔｙｐｅ）種別インジケータを含む。例えば、（Ｃｌｉｐ_ｃｏｄｅｃ_ｉｄｅｎｔｉｆｉｅｒ）フィールドは、（ＪＰＥＧ）等の静止画像の符号化フォーマットを示すことができ、これは、再生アイテムが静止画像表示のための静止再生アイテムであることを示す役割をする。種別インジケータ（ＳｕｂＰｌａｙＩｔｅｍ_ｔｙｐｅ）に関しては、種別インジケータ（ＳｕｂＰｌａｙＩｔｅｍ_ｔｙｐｅ）が、例えば（２）の場合、これはサブ再生アイテムが一つ又は複数の関連付けられる静止画像を表示するサブパスと関連付けられることを示す。
【００５９】
サブ再生アイテムは、（ＩＮ_ｔｉｍｅ）フィールドと（ＯＵＴ_ｔｉｍｅ）フィールドを含む。（ＩＮ_ｔｉｍｅ）フィールドは、２バイトを占めて、静止画像ファイルに記憶される、関連付けられる静止画像の中から１番目の静止画像のインデックス番号を示し、（ＯＵＴ_ｔｉｍｅ）フィールドは、関連付けられる静止画像の中から最後の静止画像のインデックス番号を示す。
【００６０】
サブ再生アイテムは、クリップ情報ファイル名（Ｃｌｉｐ_Ｉｎｆｏｒｍａｔｉｏｎ_Ｆｉｌｅ_Ｎａｍｅ）により示されるクリップに関するＳＴＣレファレンス（ｒｅｆ_ｔｏ_ＳＴＣ_ｉｄ）、このサブ再生アイテムを含む再生アイテムのＩＤである（ｓｙｎｃ_ＰｌａｙＩｔｅｍ_ｉｄ）、及び（ｓｙｎｃ_ＰｌａｙＩｔｅｍ_ｉｄ）により示される再生アイテムのプレゼンテーションタイムの（Ｓｙｎｃ_ｓｔａｒｔ_ＰＴＳ_ｏｆ_ＰｌａｙＩｔｅｍ）を含む。
【００６１】
また、図１３Ａに示したように、再生アイテムが静止再生アイテムである場合、静止画像の数（ｎｕｍｂｅｒ_ｏｆ_ｓｔｉｌｌ_ｉｍａｇｅｓ）が提供される。そして、各静止画像に対して、次の情報が提供される。静止画像を表示する継続時間（ｄｕｒａｔｉｏｎ）、表示タイミングのインジケータ（ｄｉｓｐｌａｙ_ｔｉｍｉｎｇ_ｍｏｄｅ）、表示順序のインジケータ（ｄｉｓｐｌａｙ_ｏｒｄｅｒ_ｍｏｄｅ）、表示効果のインジケータ（ｄｉｓｐｌａｙ_ｅｆｆｅｃｔ_ｍｏｄｅ）、表示効果の期間のインジケータ（ｄｉｓｐｌａｙ_ｅｆｆｅｃｔ_ｐｅｒｉｏｄ）の情報が提供される。これらのインジケータは図７Ａを参照して上述した。
【００６２】
他の実施形態では、ムービービデオとオーディオデータ、又はオーディオだけがサブ再生アイテムにより管理され、静止画像又はスライドショー（又はスライドショーの一部）は、再生アイテムにより管理される。
【００６３】
図１２Ｂは、サブ再生アイテムがＶＰＵの再生を管理するＶＰＵサブ再生アイテムとしての役割もする点を除いては、図１２Ａの実施形態と同じである。
【００６４】
図１３Ｂは、図１２Ｂの実施形態による、サブ再生アイテムの実施形態を示す。クリップコード識別子及び／又はサブ再生アイテム種別が、サブ再生アイテムがＶＰＵサブ再生アイテムであることを示す場合に、サブ再生アイテムがＶＰＵのサイズとＶＰＵに記録されるビデオデータの属性に関する情報をさらに示すという点を除いては、図１３Ｂの実施形態は図１２Ｂの実施形態と同じである。例えば、（ＳｕｂＰｌａｙＩｔｅｍ_ｔｙｐｅ）に関しては、種別インジケータ（ＳｕｂＰｌａｙＩｔｅｍ_ｔｙｐｅ）が、例えば（３）の場合、これはサブ再生アイテムがＶＰＵを表示するサブパスと関連付けられることを示す。
【００６５】
次に、静止表示位置を検出できる静止情報パケットを記録する方法の実施形態を詳細に説明する。図１４Ａは、本発明の実施形態による、静止画像表示位置を識別するための静止情報パケットを記録する方法を示す。この方法では、静止マーク、静止インジケータ、静止再生アイテム、サブ再生アイテムのうち少なくともいずれか一つの種別のナビゲーション情報により指定される、クリップＡ／Ｖストリームに含まれる静止表示開始位置と静止表示終了位置に記録されるソースパケットは、静止画像のグループを識別するための静止情報パケットとして規定される。
【００６６】
静止情報パケットは、４バイトのＴＰ（トランスポートパケット）エクストラヘッダと１８８バイトのＭＰＥＧ２  ＴＰ（トランスポートパケット）を含む。ＭＰＥＧ２  ＴＰは、パケットヘッダとペイロード（Ｐａｙｌｏａｄ）を含む。図１４Ａに示すように、静止情報は、ペイロードに記録される（ｓｔｉｌｌ_ｓｔａｒｔ_ｅｎｄ_ｆｌａｇ）、（ｎｕｍｂｅｒ_ｏｆ_ｉｍａｇｅｓ）、及び（ｄｉｓｐｌａｙ_ｉｎｆｏ）のフィールドを含む。
【００６７】
例えば、（ｓｔｉｌｌ_ｓｔａｒｔ_ｅｎｄ_ｆｌａｇ）フィールドが（０）の場合、それは、静止表示開始位置を示す。このフィールドが（１）の場合、それは、静止表示終了位置を示す。（ｎｕｍｂｅｒ_ｏｆ_ｉｍａｇｅｓ）フィールドは、表示開始位置でだけ意味があり、（ｄｉｓｐｌａｙ_ｉｎｆｏ）フィールドは、表示順序、表示効果、表示効果の期間などが記憶する。
【００６８】
図１６に示したＶＤＰシステムでの復号化動作が、静止情報を有するソースパケットを検出すると、すなわちクリップＡ／Ｖストリームに記録されるムービービデオ及び／又はオーディオデータを再生する間に静止情報パケットを検出すると、光ディスク再生装置は、ムービービデオデータの再生を停止した後に静止画像を表示し、又は、オーディオデータの再生とともに静止画像を表示する。
【００６９】
（ｓｔｉｌｌ_ｓｔａｒｔ_ｅｎｄ_ｆｌａｇ）を参照して、ＶＤＰシステムは、静止画像の表示を開始するか停止する。静止開始パケットと静止終了パケットの二種類のパケットを各々、静止表示開始位置と静止表示終了位置に記録することができる。
【００７０】
図１４Ｂは、本発明の実施形態による、スライドショーの表示位置を識別するためのスライドショー情報パケットを記録する方法を示す。この方法では、再生リストマーク、静止インジケータ、スライドショーインジケータ、再生アイテム、サブ再生アイテムのうち少なくとも一つの種別のナビゲーション情報により指定される、クリップＡ／Ｖストリームに含まれるスライドショー表示開始位置とスライドショー表示終了位置に記録されるソースパケットは、静止画像のグループを識別するためのスライドショー情報パケットとして規定される。
【００７１】
スライドショー情報パケットは、４バイトのＴＰ（トランスポートパケット）エクストラヘッダと１８８バイトのＭＰＥＧ２  ＴＰ（トランスポートパケット）を含む。ＭＰＥＧ２  ＴＰは、パケットヘッダとペイロードを含む。図１４Ｂに示すように、スライドショー情報は、スライドショー情報パケットが静止画像情報パケットの場合、（Ｓｌｉｄｅｓｈｏｗ_ｓｔａｒｔ_ｅｎｄ_ｆｌａｇ）のフィールド、（ｎｕｍｂｅｒ_ｏｆ_ｉｍａｇｅｓ）のフィールド、（ｄｉｓｐｌａｙ_ｉｎｆｏ）を含み、スライドショー情報パケットがＶＰＵ情報パケットの場合、ＶＰＵの継続時間のフィールドとＶＰＵのデータサイズのフィールドを含む。
【００７２】
図１６に示したＶＤＰシステムでの復号化動作がスライドショー情報を有するソースパケットが検出する場合、すなわちクリップＡ／Ｖストリームに記録されるムービービデオ及び／又はオーディオデータを再生する間にスライドショー情報パケットを検出する場合、光ディスク再生装置は、ムービービデオデータの再生を停止した後に静止画像又はＶＰＵを表示し又はオーディオデータの再生とともに静止画像を表示する。
【００７３】
（ｓｔｉｌｌ_ｓｔａｒｔ_ｅｎｄ_ｆｌａｇ）を参照しながら、ＶＤＰシステムは、静止画像の表示を開始するか又は停止する。静止開始パケットと静止終了パケットの二種類のパケットを各々、それぞれ静止表示開始位置と静止表示終了位置に記録することができる。
【００７４】
図１５は、本発明の別の実施形態による、静止画像表示位置を識別するための静止情報パケットを記録する方法を示す。この方法では、静止情報パケットは、静止マーク、静止インジケータ、静止再生アイテム、サブ再生アイテムのうち少なくとも一つの種別を使用するナビゲーション情報により指定される、クリップＡ／Ｖストリームに含まれるすべての静止画像の表示位置に加えられる。この実施形態では、静止画像を静止情報パケットにより検出することができる。
【００７５】
上述したように、静止情報パケットは、（ｓｔｉｌｌ_ｓｔａｒｔ_ｅｎｄ_ｆｌａｇ）と（ｄｉｓｐｌａｙ_ｉｎｆｏ）のフィールドを含む静止情報を含む。（ｄｉｓｐｌａｙ_ｉｎｆｏ）フィールドは、表示順序、表示効果、表示効果の期間等を含む。
【００７６】
図１６に示したＶＤＰシステムで復号化動作が静止情報を有するソースパケットを検出する場合、すなわちクリップＡ／Ｖストリームに記録されるムービービデオ及び／又はオーディオデータを再生する間に静止情報パケットを検出する場合、光ディスク再生装置は、ムービービデオデータの再生を停止した後に静止画像を表示し又はオーディオデータの再生とともに静止画像を表示する。
【００７７】
静止情報パケットを静止画像開始位置と静止画像終了位置に追加することができる。（ｓｔｉｌｌ_ｓｔａｒｔ_ｅｎｄ_ｆｌａｇ）を参照しながら、ＶＤＰシステムは、静止画像の表示を開始するか又は停止する。静止開始パケットと静止終了パケットの二種類のパケットを各々、静止表示開始位置と静止表示終了位置に記録することができる。
【００７８】
光ディスク再生装置は、静止マーク、静止インジケータ、スライドショーインジケータ、静止再生アイテム、サブ再生アイテム等の本発明によるナビゲーション情報を参照することによって、ムービーデータと静止画像又はオーディオデータと静止画像を、接続されたテレビセット等に出力する。図１６は、本発明による光ディスク記録及び再生装置の実施形態の概略図を示す。Ａ／Ｖエンコーダ９は、データ（例えば、ムービービデオとオーディオデータ、オーディオデータだけ、及び／又は静止画像データ）を受け取り、符号化する。Ａ／Ｖエンコーダ９は、コーディング情報とストリーム属性情報と共に、符号化されたデータを出力する。マルチプレクサ８は、コーディング情報とストリーム属性情報に基づいて符号化されたデータを多重化し、例えばＭＰＥＧ−２トランスポートストリームを作成する。ソース・パケッタイザー（Ｓｏｕｒｃｅ  ｐａｃｋｅｔｉｚｅｒ）７は、マルチプレクサ８から入力するトランスポートパケットを光ディスクのオーディオ／ビデオフォーマットにしたがってソースパケットにパケット化する。図１４に示すように、Ａ／Ｖエンコーダ９、マルチプレクサ８、ソース・パケッタイザー７の動作は、コントローラ１０により制御される。コントローラ１０は、記録動作のユーザー入力を受け取り、Ａ／Ｖエンコーダ９、マルチプレクサ８、ソース・パケッタイザー７に制御情報を提供する。例えば、コントローラ１０は、Ａ／Ｖエンコーダ９に、実行する符号化種別を指示し、マルチプレクサ８に、作成するトランスポートストリームを指示し、ソース・パケッタイザー７に、ソースパケットのフォーマットを指示する。コントローラ１０は、ドライブ３を制御し、ソース・パケッタイザー７からの出力を光ディスクに記録する。
【００７９】
コントローラ１０は、光ディスクに記録されているデータの再生を管理するためのナビゲーション情報と管理情報を作成する。例えば、ユーザーインターフェースを介して受けた情報（例えば、ディスクに記憶されているか、コンピュータシステムによりイントラネット又はインターネットを介して提供される命令）に基づいて、コントローラ１０は、ドライブ３を制御し、に図１ないし図１５のデータ構造のうち一つ又は複数を光ディスクに記録する。
【００８０】
再生中、コントローラ１０は、ドライブ３を制御し、このデータ構造を再生する。ディスクに含まれた情報と、ユーザーインターフェース（例えば、記録及び再生装置の操作ボタン又は装置と関連するリモート）を介して受けたユーザー入力に基づいて、コントローラ１０は、ドライブ３を制御し、光ディスクからデータを再生する。例えば、本発明の実施形態に関して上述したように、一つの静止画像又は静止画像（群）を、ナビゲーション情報に基づいて、ムービービデオとオーディオデータと関連し又はオーディオデータとだけ関連して再生することができる。一つの画像又は画像のグループをスライドショー又はスライドショーの一部として再生することができる。スライドショーは、同期化され、見ることができる。
【００８１】
再生されたソースパケットは、ソース・デパケッタイザー（Ｓｏｕｒｃｅ  Ｄｅｐａｃｋｅｔｉｚｅｒ）４によって受け取られ、データストリーム（例えば、ＭＰＥＧ−２トランスポートパケットストリーム）に変換される。デマルチプレクサ５は、データストリームを符号化されたデータに逆多重化する。Ａ／Ｖデコーダー６は、符号化されたデータを復号化し、Ａ／Ｖエンコーダ９に入力したオリジナルデータを生成する。再生中、コントローラ１０は、ソース・デパケッタイザー４、デマルチプレクサ５、Ａ／Ｖデコーダー６の動作を制御する。コントローラ１０は、再生動作のユーザー入力を受け取り、Ａ／Ｖデコーダー６、デマルチプレクサ５、ソース・デパケッタイザー４に制御情報を送る。例えば、コントローラ１０は、Ａ／Ｖデコーダー６に実行する符号化種別を指示し、マルチプレクサ５に逆多重化するトランスポートストリームを指示し、ソース・デパケッタイザー４にソースパケットのフォーマットを指示する。
【００８２】
図１６は記録及び再生装置として示されているが、記録又は再生の機能を有する図１６の機能の一部を使用して記録動作だけ又は再生動作だけを提供するができる。
【００８３】
次に、図１７ないし図２０を参照して、スライドショーの他の種類を詳細に説明する。これらは、単に例に過ぎず、本発明のデータ構造は、別の種類のスライドショーを提供できる。
【００８４】
図１７ないし図１９は、同期スライドショー又は時間基準スライドショーの例を示す。この例では、表示アイテム（ＶＰＵｓ及び／又は静止アイテム）は時間内に特定のポイントに表示される。図１７ないし図１９の例では、表示アイテムは、クリップＡ／Ｖストリームから再生されるオーディオデータと同期して、時間内に特定のポイントに表示される。各表示アイテムのプレゼンテーション時間と継続時間は再生リスト内のナビゲーション情報により提供される。例えば、ナビゲーション情報は、上述したように、再生リストマーク、静止又はスライドショーのインジケータ、再生アイテム及びサブ再生アイテムのうち一つ又は複数を含む。オーディオデータに関するナビゲーション情報は、再生リスト内の再生アイテムとサブ再生アイテムのうちの一つにより提供される。ナビゲーション情報は、シーケンシャル再生又はランダム再生をすべきかどうかを示す。
【００８５】
図１７は、シーケンシャル同期再生の例を示す。ＶＰＵ＃１、ＶＰＵ＃２、静止アイテム＃１―＃５を含む７表示アイテムＤｉｓｐｌａｙ＃１〜＃７は、各表示アイテムに関して指示されたプレゼンテーション時間に表示される。
【００８６】
図１８は、７表示アイテムＤｉｓｐｌａｙ＃１〜＃７のランダム再生の例を示す。ＶＤＰシステムは、ナビゲーション情報から各表示アイテムに関するプレゼンテーション時間を得るが、得られた各プレゼンテーション時間にいずれの表示アイテムを表示するかをランダムに選択する。図１９は、第１の部分の再生はシーケンシャルで、第２の部分の再生はランダムである例を示す。
【００８７】
図２０は、ブラウザブルスライドショーの例を示す。ブラウザブルスライドショーでは、各表示アイテムは、表示される表示アイテムからの変更を指示するユーザー入力を受け取るまで表示される。ブラウザブルスライドショーを用いて、ナビゲーション情報は、静止画像の継続時間、例えば静止画像の継続時間を無限として指示する。受信したユーザー入力は、次の表示アイテム又は前の表示アイテムに進むように指し示すことができる。図２０に示したように、オーディオデータと共にブラウザブルスライドショーが再生される時、オーディオデータと表示アイテムとは同期していない。代わりに、オーディオデータは、スライドショーの間、継続的に繰り返して再生される。ＶＰＵ＃１に関して図示したように、ＶＰＵが表示アイテムとして再生され、表示アイテムの変更を指示するユーザー入力を受け取る前にＶＰＵの再生が完了する場合は、ＶＰＵの最後のピクチャが静止画像として維持される。時間基準のスライドショーでは、表示アイテムの表示をシーケンシャル又はランダムにすることができる。図２０はシーケンシャルなブラウザブルスライドショーを示す。
【００８８】
次に、ナビゲーション情報に基づいたブラウザブルスライドショーの再生を詳細に説明する。ブラウザブルスライドショーは、静止マークとして規定される再生リストマークに基づいて再生することができる。この例では、コントローラ１０は、再生リストを再生し、再生リスト内のナビゲーション情報に基づいて、例えば、オーディオデータのみとともに静止画像を再生する。再生リストは、ナビゲーション情報、例えば、オーディオデータに関する再生アイテム又はサブ再生アイテムを提供し、静止画像とオーディオデータとを関連付ける静止マークを提供する。コントローラ１０は、ユーザーから次の静止画像又は前の静止画像へのスキップ指示を受け取るまでは静止画像の出力をもたらす。コントローラ１０は、次の静止画像又は前の静止画像を再生する。このような次の静止画像又は前の静止画像は、静止マークにより参照される画像のグループ内の次の画像又は前の画像であり得、又は再生リスト内の次の静止マーク又は前の静止マークにより参照される静止画像であり得る。このようなブラウザブルスライドショー動作は、静止インジケータに基づいて実行することができる。
【００８９】
ブラウザブルスライドショーは、静止再生アイテム又はサブ再生アイテムとして規定される再生アイテム又はサブ再生アイテムに基づいて再生することもできる。コントローラ１０は、例えば、再生リスト内の非静止再生アイテム又はサブ再生アイテムによって参照されるオーディオデータのみを再生し、再生リスト内の静止再生アイテム又はサブ再生アイテムにより参照される一つの静止画像又は静止画像のグループ内の一つの静止画像を再生する。コントローラ１０は、ユーザーから次の静止画像又は前の静止画像へのスキップ指示を受け取るまでは静止画像の出力をもたらす。コントローラ１０は、次の静止画像又は前の静止画像を再生する。このような次の画像又は前の画像は、現在の静止再生アイテム又は静止サブ再生アイテムにより参照される画像のグループ内の次の画像又は前の画像であり得、又は再生リスト内の次の静止再生アイテム又は前の静止再生アイテム又は静止サブ再生アイテムにより参照される静止画像であり得る。
【００９０】
上述したように、本発明は、高密度記録媒体（例えば、ＢＤ−ＲＯＭ等の高密度光ディスク）に記録される静止画像を管理するためのデータ構造を有する記録媒体を提供する。例えば、データ構造は、ムービービデオと静止画像又はオーディオと静止画像を様々な方法で表示することができるようにする。
【００９１】
本発明は、記録媒体に記録される静止画像を管理するために、高密度記録媒体にデータ構造を記録する方法と装置を提供する。
【００９２】
上述の説明は、静止画像の再生を管理するために、高密度記録媒体に記録されるデータ構造に基づいて、高密度記録媒体に記録される静止画像を再生する方法及び装置をさらに提供する。
【００９３】
本発明を限られた数の実施形態と関連して説明したが、当業者はこれらから数多くの変更及びバリエーションを理解する。例えば、幾つかの例ではブルーレイＲＯＭ光ディスクに関連して説明したが、本発明は、この光ディスクの標準に限定されない。すべての変更及びバリエーションは本発明の精神及び範囲に含まれる。
【図面の簡単な説明】
【００９４】
【図１】本発明による記録媒体のファイル又はデータ構造の実施形態を示した図である。
【図２】図１のデータ構造を有する記録媒体の例を示した図である。
【図３】本発明の実施形態による、高密度光ディスクに対して静止画像を管理する方法を示した図である。
【図４】本発明の他の実施形態による、高密度光ディスクにために静止画像を管理する方法を示した図である。
【図５Ａ】本発明の実施形態による、静止画像を管理する方法を示した図である。
【図５Ｂ】本発明の実施形態による、静止画像とビデオプレゼンテーションユニット（ＶＰＵｓ）を管理する方法を示した図である。
【図６】関連付けられる再生リストマークにより提供される静止画像に関するナビゲーション情報の一実施形態を示した図である。
【図７Ａ】関連付けられる再生リストマークにより提供される静止画像及び／又はＶＰＵｓに関するナビゲーション情報の他の実施形態を示した図である。
【図７Ｂ】関連付けられる再生リストマークにより提供される静止画像及び／又はＶＰＵｓに関するナビゲーション情報の他の実施形態を示した図である。
【図７Ｃ】関連付けられる再生リストマークにより提供される静止画像及び／又はＶＰＵｓに関するナビゲーション情報の他の実施形態を示した図である。
【図８Ａ】本発明による、静止画像を管理する方法の他の実施形態を示した図である。
【図８Ｂ】本発明による、静止画像とＶＰＵｓを管理する方法の他の実施形態を示した図である。
【図９Ａ】静止インジケータ情報フィールドにより提供される静止画像に関するナビゲーション情報の実施形態を示した図である。
【図９Ｂ】スライドショーインジケータ情報フィールドにより提供される静止画像とＶＰＵｓに関するナビゲーション情報の実施形態を示した図である。
【図１０】本発明による、静止画像を管理する方法の他の実施形態を示した図である。
【図１１Ａ】本発明による、再生アイテム情報フィールドの実施形態をそれぞれ示した図である。
【図１１Ｂ】本発明による、再生アイテム情報フィールドの実施形態をそれぞれ示した図である。
【図１２Ａ】本発明による、静止画像を管理する方法の他の実施形態を示した図である。
【図１２Ｂ】本発明による、静止画像とＶＰＵｓを管理する方法の他の実施形態を示した図である。
【図１３Ａ】本発明による、サブ再生アイテム情報フィールドの実施形態をそれぞれ示した図である。
【図１３Ｂ】本発明による、サブ再生アイテム情報フィールドの実施形態をそれぞれ示した図である。
【図１４Ａ】本発明の実施形態による、静止表示位置を識別するための静止情報パケットを記録する方法を示した図である。
【図１４Ｂ】本発明の実施形態による、表示位置を識別するためのスライドショー情報パケットを記録する方法を示した図である。
【図１５】本発明の別の実施形態による、静止画像の表示位置を識別するための静止情報パケットを記録する方法を示した図である。
【図１６】本発明による、光ディスク記録及び再生装置の実施形態示した図である。
【図１７】同期スライドショー又は時間基準のスライドショーの例を示した図である。
【図１８】同期スライドショー又は時間基準のスライドショーの例を示した図である。
【図１９】同期スライドショー又は時間基準のスライドショーの例を示した図である。
【図２０】ブラウザブルスライドショーの例を示した図である。
【図１】
2005538480.tif 000003
【図２】
2005538480.tif 000004
【図３】
2005538480.tif 000005
【図４】
2005538480.tif 000006
【図５Ａ】
2005538480.tif 000007
【図５Ｂ】
2005538480.tif 000008
【図６】
2005538480.tif 000009
【図７Ａ】
2005538480.tif 000010
【図７Ｂ】
2005538480.tif 000011
【図７Ｃ】
2005538480.tif 000012
【図８Ａ】
2005538480.tif 000013
【図８Ｂ】
2005538480.tif 000014
【図９Ａ】
2005538480.tif 000015
【図９Ｂ】
2005538480.tif 000016
【図１０】
2005538480.tif 000017
【図１１Ａ】
2005538480.tif 000018
【図１１Ｂ】
2005538480.tif 000019
【図１２Ａ】
2005538480.tif 000020
【図１２Ｂ】
2005538480.tif 000021
【図１３Ａ】
2005538480.tif 000022
【図１３Ｂ】
2005538480.tif 000023
【図１４Ａ】
2005538480.tif 000024
【図１４Ｂ】
2005538480.tif 000025
【図１５】
2005538480.tif 000026
【図１６】
2005538480.tif 000027
【図１７】
2005538480.tif 000028
【図１８】
2005538480.tif 000029
【図１９】
2005538480.tif 000030
【図２０】
2005538480.tif 000031
【国際調査報告】
2005538480.tif 000032